(57)【要約】【課題】現像剤の供給動作の不良原因に関して、現像剤の詰まりによるものか、現像剤収容容器の装着不良によるものかを簡易な構成で判定することができる現像剤補給装置を提供する。【解決手段】現像剤補給装置において、トナーを収容する着脱自在なトナーボトル５０内のトナーを現像器３に供給するためのポンプ５１と、ポンプ５１の駆動状態を検出する位相検出センサ５８と、ポンプ５１にトナー供給動作を実行させると共に、トナー供給動作が所定の動作とならない場合、内容を変更した動作を実行させ、該内容を変更した動作の状態に基づいて、トナー供給動作の状態を判定する制御部７０と、を有する。【選択図】図９
2019003089.tif 000002
【特許請求の範囲】
【請求項１】
現像剤を現像器に供給するための供給手段と、
前記供給手段の駆動状態を検出する検出手段と、
前記供給手段に第１の動作を実行させると共に、該第１の動作が所定の動作とならない場合、前記第１の動作とは異なる第２の動作を実行させ、該第２の動作の状態に基づいて前記第１の動作の状態を判定する制御手段と、
を有することを特徴とする現像剤補給装置。
【請求項２】
前記供給手段は、容積が可変であり、容積を変化させることで現像剤の供給動作を行うポンプ部と、前記ポンプ部の容積を変化させるモータと、を有し、
前記制御手段は、前記第１の動作の不良が検出された場合に、前記第２の動作として前記第１の動作とは前記モータを逆回転させ、そのときに前記ポンプ部が駆動する場合、現像剤の詰まりを報知することを特徴とする請求項１に記載の現像剤補給装置。
【請求項３】
現像剤を収容する着脱自在な現像剤収容容器を装着する装着部を更に有し、
前記制御手段は、前記第２の動作を実行したときに前記ポンプ部が駆動せず、且つ、前記ポンプ部の容積が最大の状態でない場合、前記現像剤収容容器の前記装着部への装着不良を報知することを特徴とする請求項２に記載の現像剤補給装置。
【請求項４】
表示部を備え、
前記制御手段は、前記表示部に前記第１の動作の不良の原因を表示させることで、前記報知を行うことを特徴とする請求項２又は３に記載の現像剤補給装置。
【請求項５】
外部機器との通信を行う通信手段を備え、
前記制御手段は、前記通信手段を用いて前記外部機器に前記第１の動作の不良の原因を送信することで、前記報知を行うことを特徴とする請求項２又は３に記載の現像剤補給装置。
【請求項６】
現像剤を現像器に供給するための供給手段と、
前記供給手段の駆動状態を検出する検出手段と、
前記供給手段に第１の動作を実行させると共に、該第１の動作が所定の動作とならない場合、前記第１の動作とは異なる第２の動作を実行させ、該第２の動作の状態に基づいて前記第１の動作に係る報知を行う報知手段と、
を有することを特徴とする現像剤補給装置。
【請求項７】
像担持体と、                   
前記像担持体に現像剤を供給する現像器と、
請求項１乃至請求項６のいずれか１項に記載の現像剤補給装置と、
を有することを特徴とする画像形成装置。
【発明の詳細な説明】
【技術分野】
【０００１】
本発明は、画像形成装置に搭載される現像器に現像剤を補給する現像剤補給装置に関する。また現像剤補給装置を備える電子写真複写機、レーザビームプリンタ、ファクシミリなどの画像形成装置に関する。
【背景技術】
【０００２】
電子写真方式の画像形成装置においては、感光体ドラム表面に静電潜像を形成し、静電潜像に対して現像器により微粉末の現像剤を供給して現像する。その後、現像された現像剤像をシートに転写し、定着装置により定着させる。
【０００３】
ここで画像形成装置は、画像形成に伴って現像剤が消費されるため、現像器に現像剤を補給する必要がある。そこで現像剤補給装置によって、現像剤を収容する現像剤収容容器から現像器に対して現像剤を効率的に供給する構成が従来から提案されている。
【０００４】
例えば特許文献１では、現像剤収容容器と共にポンプ部を駆動させ、ポンプ部の容積変化によって現像剤を排出して現像器に補給する構成において、位置検出部の検出結果から予め設定した伸縮状態でポンプ部が停止するように制御する構成が記載されている。
【０００５】
また特許文献２では、現像剤収容容器が正常に駆動しない場合、現像剤収容容器の装着不良が発生したか否かを判定し、装着不良の場合にはユーザに現像剤収容容器の再装着を促す通知を行う構成が記載されている。
【先行技術文献】
【特許文献】
【０００６】
【特許文献１】特開２０１４−１７４３８６号公報
【特許文献２】特開２００９−１５１１８０号公報
【発明の概要】
【発明が解決しようとする課題】
【０００７】
現像剤収容容器の輸送状態や保管状態によっては、現像剤が凝集して詰まることで現像剤収容容器が正常に駆動しないことがある。特に、特許文献１に記載の構成のようにポンプ部の容積変化によって現像剤を補給する構成ではポンプ部に現像剤が詰まりやすい。この場合、現像剤収容容器を一度取り外して振動を与えた後に再装着することで、現像剤の詰まりを解消させることができる。
【０００８】
ここで特許文献２に記載の構成では、現像剤収容容器の装着不良は検出できるものの、現像剤の詰まりを原因とする現像剤収容容器の駆動不良を検出することができない。このため、現像剤が詰まることによる現像剤の供給動作の不良に迅速に対処できない懸念がある。
【０００９】
そこで本発明はこのような現状に鑑みてなされたものであり、現像剤の供給動作の不良原因に関して、現像剤の詰まりによるものか、現像剤収容容器の装着不良によるものかを簡易な構成で判定することができる現像剤補給装置を提供することを目的とする。
【課題を解決するための手段】
【００１０】
この目的を達成するために、本発明に係る現像剤補給装置は、現像剤を現像器に供給するための供給手段と、前記供給手段の駆動状態を検出する検出手段と、前記供給手段に第１の動作を実行させると共に、該第１の動作が所定の動作とならない場合、前記第１の動作とは異なる第２の動作を実行させ、該第２の動作の状態に基づいて前記第１の動作の状態を判定する制御手段と、を有することを特徴とする。
【発明の効果】
【００１１】
本発明によれば、現像剤の供給動作の不良原因に関して、現像剤の詰まりによるものか、現像剤収容容器の装着不良によるものかを簡易な構成で判定することができる。
【図面の簡単な説明】
【００１２】
【図１】画像形成装置の断面概略図である。
【図２】画像形成部の拡大図である。
【図３】トナー補給装置と現像器の側面図と平面図である。
【図４】ポンプが伸縮したときのトナー補給装置の断面概略図と平面概略図である。
【図５】搬送路の断面図と側面図である。
【図６】位相検出センサの構成と検出動作を説明するための模式図である。
【図７】位相検出センサの光の透過率とポンプの伸縮状態との関係を説明するための説明図である。
【図８】画像形成装置のシステム構成を示すブロック図である。
【図９】不良原因報知シーケンスを示すフローチャートである。
【図１０】不良原因報知シーケンスを示すフローチャートである。
【発明を実施するための形態】
【００１３】
（第１実施形態）
＜画像形成装置＞
以下、まず本発明の第１実施形態に係る現像剤補給装置を備える画像形成装置Ａの全体構成を画像形成時の動作とともに図面を参照しながら説明する。なお、部材の種類、形状、配置、個数等は以下の実施形態にものに限定されず、その構成要素を同等の作用効果を奏するものに適宜置換する等、発明の要旨を逸脱しない範囲で適宜変更可能である。
【００１４】
図１に示す様に、画像形成装置Ａはシートにトナー像を転写する画像形成部４５と、原稿の画像を読み取る画像読取部４０と、画像形成部４５へシートを供給するシート給送部と、シートにトナー像を定着させる定着部５と、を備える。
【００１５】
図２は、画像形成部４５の拡大図である。図２に示す様に、画像形成部４５は、有機感光体からなる感光体ドラム１（像担持体）、帯電ローラ２、現像器３、転写ローラ４、レーザスキャナユニット４１、クリーニングブレード４７などを備える。また、トナーボトル５０（現像剤収容容器）に収容されたトナー（現像剤）を、搬送路６０を介して現像器３に補給するトナー補給装置１００（現像剤補給装置）を備える。
【００１６】
画像形成に際しては、図１に示す様に、制御部７０（図８参照）が画像形成ジョブ信号を受信すると、不図示の給送ローラや搬送ローラによってシート積載部４３に積載収納されたシートＳが画像形成部４５に送り出される。
【００１７】
一方、画像形成部４５においては、図２に示す様に、まず帯電ローラ２に帯電バイアスが印加されることにより、帯電ローラ２と接触する感光体ドラム１の表面が帯電させられる。
【００１８】
その後、レーザスキャナユニット４１が、内部に備える光源（不図示）からレーザ光を出射し、画像読取部４０で読み取った画像情報等に応じてレーザ光を感光体ドラム１に照射する。これにより、感光体ドラム１表面の電位が部分的に低下して画像情報に応じた静電潜像が感光体ドラム１の表面上に形成される。
【００１９】
その後、現像器３が備える現像スリーブ８に現像バイアスが印加されることにより、現像スリーブ８から感光体ドラム１表面に形成された静電潜像にトナーを付着させてトナー像が形成される。なお、本実施形態では不図示の高圧印加基板から交流電圧と直流電圧を重畳させた現像バイアスを印加する。また、本実施形態のトナーは、粉砕方式による磁性一成分トナーあり、トナー粒径は５〜１０μｍ程度、帯電量は−５〜−２０ｕＣ／ｇ程度である。しかし本発明の構成はこれに限らず、非磁性一成分トナーや非磁性二成分トナーを使用してもよい。
【００２０】
感光体ドラム１表面に形成されたトナー像は、感光体ドラム１と転写ローラ４との間に形成された転写ニップ部に送り込まれる。トナー像が転写ニップ部に到着すると、転写ローラ４にトナーと逆極性の転写バイアスが印加されてトナー像がシートＳに転写される。
【００２１】
その後、トナー像が転写されたシートＳは定着部５（図１）に送られ、定着部５の加熱部と加圧部との間に形成された定着ニップ部において加熱・加圧され、トナー像がシートに定着される。その後、シートは不図示の排出ローラに搬送されて排出部４２（図１）に排出される。
【００２２】
＜現像剤補給装置＞
次に、現像器３にトナーを補給する現像剤補給装置としてのトナー補給装置１００の構成について詳しく説明する。図３はトナー補給装置１００と現像器３の側面図と平面図である。なお、図３（ａ）は図２の右視図であり、図３（ｂ）は図２の上視図である。
【００２３】
図３に示す様に、トナー補給装置１００は現像器３の近傍に設けられている。トナー補給装置１００は、トナーボトル５０と、トナーボトル５０を回転可能に支持するボトル装着部９を備える。またボトル駆動モータ７４（図８参照）から駆動力を受けてトナーボトル５０を回転駆動させる回転駆動機構１０を備える。またトナーボトル５０から現像器３にトナーを搬送するための搬送路６０を備える。
【００２４】
ボトル装着部９の内部には、往復動に伴い容積が可変な樹脂製で蛇腹状の容積可変型ポンプであるポンプ５１（ポンプ部）が設けられている。ポンプ５１は、山折り部と谷折り部が周期的に交互に複数形成されている。そして、回転駆動機構１０から受けた駆動力がポンプ５１の往復動力に変換されることで圧縮、伸張を交互に繰り返し行う（伸縮する）ことができる。なお、本実施形態では、ポンプ５１の伸縮時の容積変化量は１７ｃｍ３（ｃｃ）に設定されている。またポンプ５１を駆動させる駆動系については後述する。
【００２５】
また、トナーボトル５０は円筒状の部材であり、内周面には螺旋状の突起５０ａがトナーボトル５０の内方側に突出して形成されている。そして回転駆動機構１０により回転駆動することで、トナーが突起５０ａによってボトル装着部９側へと搬送され、その後にトナーはポンプ５１内に搬送される。なお、トナーボトル５０はボトル装着部９（現像剤補給装置の装置本体）に着脱自在な構成となっており、トナーボトル５０を取り外す場合にはポンプ５１部分も一体として取り外される。またトナーボトル５０着脱時には不図示のボトルカバーを開閉させて着脱を行う。ボトルカバーの開閉は、不図示のカバー開閉検出部により検出される。
【００２６】
図４は、ポンプ５１が伸縮したときのトナー補給装置１００の断面概略図と平面概略図である。ここで図４（ａ）はポンプ５１が使用上最大限伸張された状態の断面概略図である。また図４（ｂ）は、ポンプ５１が使用上最大限収縮された状態の断面概略図である。また図４（ｃ）は図４（ａ）を上方向から見た図であり、図４（ｄ）は図４（ｂ）を上方向から見た図である。
【００２７】
図４に示す様に、ポンプ５１は搬送路６０にトナーを排出するための排出口５２を備える。そして所定の周期で繰り返し伸縮してトナーボトル５０を含む空間の容積を変化させ、排出口５２を介して吸気動作と排気動作を繰り返し、排出口５２から搬送路６０にトナーを排出する。
【００２８】
つまり、ポンプ５１は一番伸びて容積が最大の状態となり（図４（ａ）、（ｃ）の状態）、一番縮んで容積が最小の状態となり（図４（ｂ）、（ｄ）の状態）、この動作を所定の周期で繰り返す。これにより排出口５２を通してトナーボトル５０の内部に向かう気流とトナーボトル５０から外部に向かう気流を交互に繰り返し発生させ、小径（直径が約２ｍｍ）の排出口５２から搬送路６０にトナーを効率良く排出させる。また排出されたトナーは搬送路６０を介して現像器３に供給される。つまりポンプ５１とポンプ５１を駆動させるボトル駆動モータ７４は、トナーボトル５０内のトナーを現像器３に供給するための供給手段であり、ポンプ５１の駆動（伸縮）は、搬送路６０を介して現像器３にトナーを供給する供給動作といえる。なお、ポンプ５１は、円筒部５７の回転方向へ自らが回転することがないように設けられている。
【００２９】
次に、トナーボトル５０とポンプ５１の駆動系について説明する。
【００３０】
図４に示す様に、トナーボトル５０はギア部５３を備え、ギア部５３が回転駆動を受けることでトナーボトル５０が回転する。またギア部５３には、全周に溝が設けられたカム溝５５がギア部５３と一体に設けられている。そして、このカム溝５５を含むカム機構により、トナーボトル５０を回転させるための回転駆動力を、ポンプ５１を往復動させる方向の力へ変換する。このようにトナーボトル５０の回転とポンプ５１の往復動するための駆動力を１つのギア部５３で受ける構成とすることで、駆動受入れ部を２つ別々に設ける場合に比べてトナーボトル５０の駆動入力機構の構成を簡易化できる。
【００３１】
具体的には、回転駆動力をポンプ５１の往復動力に変換するために介する部材として往復動部材５４（駆動伝達部材）を用いている。まず回転駆動機構１０からギア部５３が回転駆動を受けると、ギア部５３と一体となっているカム溝５５が回転する。このカム溝５５には往復動部材５４から一部が突出した係合突起５６が係合している。また往復動部材５４は円筒部５７の回転方向へ自らが回転することがないように（ガタ程度は許容する）に固定されている。このため、カム溝５５の回転によりカム溝５５の形状に沿って係合突起５６が往復動し、これにより往復動部材５４が往復動し、ポンプ５１が伸張した状態と収縮した状態を交互に繰り返す。
【００３２】
なお、本実施形態では、係合突起５６はカム溝５５に複数係合するように設けられている。具体的には、円筒部５７の外周面に２つの係合突起５６が約１８０°対向するように設けられている。しかし、係合突起５６の配置個数については、少なくとも１つ設けられていればよい。但し、ポンプ５１の伸縮時の抗力により駆動変換機構等にモーメントが発生し、スムーズな往復動が行われないおそれがあるため、カム溝５５形状との関係が破綻しないよう複数個設ける構成が好ましい。
【００３３】
次に、搬送路６０の構成について説明する。図５は、搬送路６０の構成を示す図である。ここで図５（ａ）は搬送路６０の断面図であり、図５（ｂ）は搬送路６０の側面図である。
【００３４】
図５に示す様に、搬送路６０は、排出口５２（図３参照）と連結する搬送路供給口６１を備える。また現像器３にトナーを搬送するための搬送スクリュー１３を備える。また搬送スクリュー１３の近傍であり、搬送路供給口６１のほぼ真下に搬送路内センサ１４を備える。また現像器３にトナーを補給するための補給口６２を備える。
【００３５】
搬送路６０から現像器３へのトナー搬送に関しては、まず搬送路供給口６１から搬送路６０内にトナーが供給される。その後、搬送路モータ７５（図８参照）から駆動力を受けて搬送スクリュー１３が回転することでトナーが補給口６２側に搬送される。そして、トナーが補給口６２まで搬送されると、補給口６２から現像器３にトナーが補給される。
【００３６】
なお、本実施形態の搬送路６０で使用されるトナーは温度が２０〜２５℃、湿度が３０〜６０％の環境で嵩密度０．５〜０．８ｇ／ｃｍ３程度である。また搬送スクリュー１３の駆動は１８０ｒｐｍで行う。なお、トナーの種類や搬送路内へのトナー供給量が大きく変更となった場合には、搬送スクリュー１３の駆動条件も適宜変更する。
【００３７】
＜位相検出センサ＞
ここでポンプ５１の伸縮動作によってトナーを補給する際に、ポンプ５１が吸気動作の途中で止まった場合と、排気動作の途中で止まった場合では、その後のポンプ５１の伸縮動作による容積可変量が異なり、トナーの排出性が不安定になるおそれがある。
【００３８】
そこでポンプ５１駆動時の容積変化量を均一化させてトナーの補給量を安定させるために、トナー補給装置１００はトナーボトル５０の位相を検出する位相検出センサ５８を備える。以下、位相検出センサ５８の構成について説明する。
【００３９】
図６は、位相検出センサ５８の構成と検出動作を説明するための模式図である。図６に示す様に、位相検出センサ５８は、光学式のフォトセンサであり、受光素子と発光素子から構成される検出部５８ａと、検出部５８ａの受光素子と発光素子の間に介在して発光素子から受光素子に照射される光を遮るレバー５８ｂを有する。検出部５８ａは、発光素子から照射される光の透過率に応じた電気信号を出力する。またトナーボトル５０の円周面上には、位相検出用の凹部５０ｂが形成されている。
【００４０】
ここで図６（ａ）に示す様に、トナーボトル５０の凹部５０ｂがレバー５８ｂの位置にない場合、レバー５８ｂは検出部５８ａの受光素子と発光素子の間に介在しないため、検出部５８ａの光の透過率が大きくなる。これに対し、図６（ｂ）に示す様に、トナーボトル５０の回転により凹部５０ｂがレバー５８ｂの位置にきてレバー５８ｂが検出部５８ａの受光素子と発光素子の間に介在すると、検出部５８ａの光の透過率が小さくなる。
【００４１】
なお、本実施形態では、検出部５８ａにおける光の透過率の割合が９０％以上の場合にデジタル出力値を１（ＯＮ）とし、９０％未満の場合にデジタル出力値を０（ＯＦＦ）とする。
【００４２】
図７は、位相検出センサ５８の光の透過率とポンプ５１の伸縮状態との関係を説明するための説明図である。ここで図７（ａ）は、図６（ａ）に示すＸ地点を基準に、トナーボトル５０が回転したときの位相検出センサ５８の検出部５８ａの光の透過率の出力変化とデジタル出力値の変化を示すグラフである。また図７（ｂ）は、位相検出センサ５８の検出部５８ａの光の透過率に対応したポンプ５１の伸縮状態を示す図である。
【００４３】
図７（ａ）に示す様に、トナーボトル５０が回転することで検出部５８ａの光がレバー５８ｂにより遮られる割合が変化して光の透過率の割合やデジタル出力値が変化する。本実施形態では、位相検出センサ５８の検出部５８ａの光の透過率が低くなるにつれてポンプ５１が拡張していき、光の透過率が高くなるにつれてポンプ５１が収縮していくように位相検出センサ５８や凹部５０ｂの形状が設定されている。また位相検出センサ５８のデジタル出力値が１の場合、ポンプ５１が最も収縮して容積が最小の状態に近い状態となるように設定されている。
【００４４】
制御部７０は、トナーを供給する際は、検出部５８ａのデジタル出力値が０（ＯＦＦ）から１（ＯＮ）に切り替えられるまでボトル駆動モータ７４を回転させ続け、切り替わった時にトナーボトル５０の回転を停止させる。このため、トナー供給動作が終了したボトル駆動モータ７４停止時において、ポンプ５１の容積は最小付近の状態となっている。
【００４５】
このように位相検出センサ５８の検出結果に基づいてトナーボトル５０とポンプ５１の駆動を制御することで、駆動停止時におけるポンプ５１の伸縮状態がほぼ一定となり、ポンプ５１駆動時の容積変化量を均一化させることができる。
【００４６】
＜トナーの補給タイミング＞
次に、トナー補給装置１００によるトナーの補給タイミングについて説明する。
【００４７】
現像器３内のトナーが少なくなると、トナーボトル５０に収容されたトナーが搬送路６０を介して現像器３に補給される。搬送路６０と現像器３には、トナー量を検出する検出手段としての搬送路内センサ１４と現像器内センサ１６が設けられている（図２）。これらのセンサによりトナーの有無を検出し、この検出結果に基づいてトナー補給タイミングが決定される。
【００４８】
具体的には、搬送路内センサ１４は、トナーボトル５０の駆動時に搬送路６０内のトナーの有無検出を１００ｍｓｅｃ周期で行う。制御部７０は、搬送路内センサ１４がトナー無を３回連続で検出した場合に搬送路６０内のトナー無と判定し、ボトル駆動モータ７４を１サイクル動作させる。これによりトナーボトル５０から搬送路６０にトナーが補給される。
【００４９】
また現像器内センサ１６は、現像スリーブ８の駆動時に現像器３内のトナーの有無検出を１００ｍｓｅｃ周期で行う。制御部７０は現像器内センサ１６による１５回のトナー有無検出のうちトナー有を３回以上検出した場合は現像器３内のトナー有と判定し、トナー有検出が２回以下の場合は現像器３内のトナー無と判定する。また制御部７０は、現像器３内のトナー無を判定した場合、現像器３内のトナー有を判定するまで搬送路モータ７５を駆動させる。
【００５０】
なお、搬送路内センサ１４、現像器内センサ１６としては、センサの検出面近傍のトナー量に応じて出力が変化する種々のセンサを使用することができる。例えば検出面近傍に磁性体であるトナーが多い場合には高い出力電圧を示し、少ない場合には低い出力電圧を示す透磁率センサを用いることができる。
【００５１】
＜制御部＞
次に、画像形成装置Ａのシステム構成の概要を、特に現像器３の制御に関わる部分を中心に説明する。
【００５２】
図８は、画像形成装置Ａのシステム構成の一部を示すブロック図である。図８に示す様に、画像形成装置Ａは、ＣＰＵ、ＲＯＭ、ＲＡＭから構成される制御部７０（制御手段）を備える。
【００５３】
制御部７０において、ＲＯＭには、各種の制御プログラムやデータ等が記録されている。ＣＰＵは、ＲＯＭに格納された制御プログラムやデータに基づいて各種の演算処理を行う。ＲＡＭは、プログラムロード領域、作業領域、各種データの格納領域等を備える。つまり制御部７０は、ＣＰＵが、ＲＯＭに格納された制御プログラムに基づいてＲＡＭを作業領域に用いながら画像形成装置Ａの各デバイスを制御する。
【００５４】
また制御部７０には、トナー検出部７１を介して、搬送路内センサ１４と現像器内センサ１６が接続されている。また駆動制御部７２を介してボトル駆動モータ７４、搬送路モータ７５、現像器クラッチ７６が接続されている。制御部７０は、搬送路内センサ１４、現像器内センサ１６によるトナー有無の検出結果に基づいて、上述したトナー補給装置１００や現像器３の駆動を制御する。
【００５５】
また制御部７０には、位相検出センサ５８が接続されている。制御部７０は、位相検出センサ５８によるトナーボトル５０の位相の検出結果からトナーボトル５０やポンプ５１が正常に駆動しているか否かを判定することができる。つまり位相検出センサ５８は、トナーボトル５０やポンプ５１の駆動状態を検出する検出手段である。
【００５６】
また制御部７０には、表示部７８が接続されている。制御部７０は、表示部７８に各種の情報を表示させることができる。
【００５７】
＜不良原因報知シーケンス＞
次に、トナー補給装置１００によるトナー供給動作の不良が検出された場合に、不良原因を判定して報知する不良原因報知シーケンスについて、図９に示すフローチャートを用いてついて説明する。
【００５８】
図９に示す様に、まず制御部７０は、ボトルカバーの開閉動作を検出し（Ｓ１）、搬送路内センサ１４により搬送路６０のトナー無を検出すると（Ｓ２）、ボトル駆動モータ７４の駆動信号をＯＮして、トナーボトル５０とポンプ５１の駆動を開始させる（Ｓ３）。このようにしてトナー供給動作（第１の動作）が開始される。
【００５９】
次に制御部７０は、トナー供給動作中の位相検出センサ５８のデジタル出力値が変化するか否かを監視する（Ｓ４）。なお、本実施形態では、デジタル出力値が変化するか否かを１０秒間監視する。ここでデジタル出力値が変化した場合、制御部７０はトナーの供給動作が正常に行われていると判定してシーケンスを終了する。
【００６０】
一方、位相検出センサ５８のデジタル出力値が１０秒間変化しない場合、制御部７０は、ナー供給動作の不良と判定する。そして、その１０秒間に位相検出センサ５８の検出部５８ａの光の透過率が変化したか否かを判定する（Ｓ５）。
【００６１】
ここで光の透過率が変化した場合、トナーボトル５０は回転途中にトナー詰まりにより停止したと考えられるため、制御部７０はトナー供給動作の不良原因がトナー詰まりと判定する。そしてトナー詰まりが発生している旨、及び、トナーボトル５０を取り外して振った上で再装着することを促す旨を表示部７８に表示させシーケンスを終了する（Ｓ６）。
【００６２】
一方、光の透過率が変化していない場合、トナーボトル５０は回転していないことを意味する。ここでポンプ５１において、トナーボトル５０の装着初期状態からトナー詰まりが発生している場合、ポンプ５１は収縮する方向には駆動しないものの、拡張する方向には駆動する。一方、トナーボトル５０の装着不良が起きている場合、ポンプ５１にボトル駆動モータ７４の駆動力が伝達されないため、ポンプ５１は収縮方向にも拡張方向にも駆動しない。なお、この段階ではトナーボトル５０装着初期状態であるため、上述したトナーボトル５０の位相制御は行われていない。
【００６３】
そこで光の透過率が変化していない場合、次に制御部７０は、ボトル駆動モータ７４を逆回転させ（Ｓ７）、位相検出センサ５８の検出部５８ａの光の透過率の変化を再度検出する（Ｓ８）。そして光の透過率が変化してポンプ５１の駆動（トナーボトル５０の回転）が検出された場合、ポンプ５１が拡張したと考えられるため、制御部７０はトナー供給動作の不良原因をトナー詰まりと判定する。つまり制御部７０は、トナー供給動作が所定の動作とならない場合、ボトル駆動モータ７４を逆回転させ（第２の動作を実行）、このときの状態に基づいて、トナー供給動作の状態を判定する。そしてトナー詰まりが発生している旨、及び、トナーボトル５０を取り外して振った上で再装着することを促す旨を表示部７８に表示させ（Ｓ６）、シーケンスを終了する。
【００６４】
一方、位相検出センサ５８の検出部５８ａの光の透過率が変化せず、ポンプ５１の駆動（トナーボトル５０の回転）が検出されない場合、制御部７０はトナー供給動作の不良原因をトナーボトル５０の装着不良と判定する。そしてトナーボトル５０の装着不良の旨、及びトナーボトル５０再装着を促す旨を表示部７８に表示させ（Ｓ９）、シーケンスを終了する。
【００６５】
このようにトナー供給動作の不良が検出された場合に、内容を変更した供給動作を実行させ、そのときのポンプ５１の駆動状態に基づいて、トナー供給動作の不良原因がトナー詰まりかトナーボトル５０の装着不良かを判定して報知する。これにより、簡易な構成でトナー供給動作の不良原因がトナー詰まりによるものかトナーボトル５０の装着不良によるものかをユーザが判定することができる。
【００６６】
（第２実施形態）
次に、本発明に係る現像剤補給装置を備える画像形成装置の第２実施形態について図を用いて説明する。上記第１実施形態と説明の重複する部分については、同一の図面、同一の符号を付して説明を省略する。
【００６７】
第１実施形態では、不良原因報知シーケンスにおいて、ポンプ５１の容積が最大状態の場合、ボトル駆動モータ７４を逆回転させてもポンプ５１が駆動せず、検出部５８ａの光の透過率が変化しないため、トナーボトル５０の装着不良と誤判定されるおそれがある。
【００６８】
そこで本実施形態では、ボトルカバーが開閉された後、位相検出センサ５８によってポンプ５１の容積が最大の状態か否かを判定する。以下、図１０に示すフローチャートを用いて本実施形態に係る不良原因報知シーケンスを説明する。なお、図１０において、第１実施形態で図９を用いて説明した工程と同じ処理を行う工程については、同じ符号を付してその説明を簡略化する。
【００６９】
まず制御部７０は、ボトルカバーの開閉動作を検出すると（Ｓ１）、トナーボトル５０装着初期状態の位相検出センサ５８の検出部５８ａの光の透過率を取得する（Ｓ１００）。
【００７０】
次に制御部７０は、搬送路内センサ１４により搬送路６０のトナー無を検出すると（Ｓ２）、ボトル駆動モータ７４の駆動信号をＯＮして、トナーボトル５０とポンプ５１の駆動を開始させる（Ｓ３）。
【００７１】
次に制御部７０は、トナー供給動作中の位相検出センサ５８のデジタル出力値が変化するか否かを１０秒間監視し、デジタル出力値が変化した場合、制御部７０はトナーの供給動作が正常に行われていると判定してシーケンスを終了する（Ｓ４）。
【００７２】
一方、位相検出センサ５８のデジタル出力値が１０秒間変化しない場合、次に制御部７０は、その１０秒間に位相検出センサ５８の検出部５８ａの光の透過率が変化したか否かを判定する（Ｓ５）。
【００７３】
ここで光の透過率が変化した場合、制御部７０はトナー供給動作の不良原因がトナー詰まりと判定し、トナー詰まりが発生している旨とトナーボトル５０を取り外して振った上で再装着することを促す旨を表示部７８に表示させシーケンスを終了する（Ｓ６）。一方、そして位相検出センサ５８の検出部５８ａの光の透過率が変化していない場合、ボトル駆動モータ７４を逆回転させる（Ｓ７）。
【００７４】
次に制御部７０は、位相検出センサ５８の検出部５８ａの光の透過率の変化を再度検出する（Ｓ８）。ここで光の透過率の変化からポンプ５１の駆動が検出された場合、トナー供給動作の不良原因をトナー詰まりと判定する。そしてトナー詰まりが発生している旨、及び、トナーボトル５０を取り外して振った上で再装着することを促す旨を表示部７８に表示させ（Ｓ６）、シーケンスを終了する。
【００７５】
一方、ボトル駆動モータ７４を逆回転させたときに光の透過率が変化せず、ポンプ５１の駆動が検出されない場合、次に制御部７０は、ステップＳ１００で取得した検出部５８ａの光の透過率が１０％以上か否かを判定する（Ｓ２００）。
【００７６】
ここで光の透過率が１０％以上の場合、ポンプ５１の容積が最大の状態ではないため、制御部７０はトナー供給動作の不良原因をトナーボトル５０の装着不良と判定する。そしてトナーボトル５０の装着不良の旨と再装着を促す旨を表示部７８に表示させ（Ｓ９）、シーケンスを終了する。
【００７７】
一方、光の透過率が１０％未満の場合、ポンプ５１の容積が最大状態の可能性があるため、トナーボトル５０を取り外して振った上で再装着することを促す旨を表示部７８に表示させ、シーケンスを終了する（Ｓ３００）。
【００７８】
これによりポンプ５１の容積が最大の状態であっても、トナーボトル５０の装着不良を誤判定することがなくなる。このため、トナー供給動作の不良原因の判定精度を向上させることができる。
【００７９】
なお、トナーボトル５０の装着不良が繰り返し判定される場合、モータ不良の可能性がある。そこで制御部７０は、トナーボトル５０の装着不良が所定回数以上繰り返し判定される場合、トナー供給動作の不良原因をモータ不良と判定して、その旨を表示部７８に表示させる構成としてもよい。
【００８０】
また第１実施形態、第２実施形態では、トナー補給装置１００のトナー供給動作の不良原因を表示部７８に表示して報知したものの、本発明はこれに限られない。すなわち、例えば外部機器との通信を行う通信ネットワーク（通信手段）を用いて、パーソナルコンピュータ等の外部機器にナー供給動作の不良原因に関する情報を送信して報知する構成としてもよい。
【符号の説明】
【００８１】
１…感光体ドラム（像担持体）
３…現像器
５０…トナーボトル（現像剤収容容器）
５１…ポンプ（供給手段、ポンプ部）
５８…位相検出センサ（検出手段）
７４…ボトル駆動モータ（供給手段、モータ）
７８…表示部
１００…トナー補給装置（現像剤補給装置）
Ａ…画像形成装置
【図１】
2019003089.tif 000003
【図２】
2019003089.tif 000004
【図３】
2019003089.tif 000005
【図４】
2019003089.tif 000006
【図５】
2019003089.tif 000007
【図６】
2019003089.tif 000008
【図７】
2019003089.tif 000009
【図８】
2019003089.tif 000010
【図９】
2019003089.tif 000011
【図１０】
2019003089.tif 000012